(57)【要約】【課題】この発明は、簡便にして容易な製作を実現したうえで、釣糸の快適な巻取り操作を実現し得るようにすることにある。【解決手段】ピラー１０１を介して前後方向に案内される摺動体１９２の案内部１９４の一側に、上記ピラー１０１を前後動可能に当接させる付勢力を付与する弾性部材１９５を設けて構成したものである。【選択図】      図２
2005245252.tif 000002
【特許請求の範囲】
【請求項１】
操作ハンドルの回転運動をスプール軸の前後動に変換する往復動装置の摺動体に対して先端部にスプールを有するスプール軸が取り付けられ、該摺動体に対してリール本体の前後部間に架設されたピラーを嵌合させて前記摺動体を前後動可能に摺動案内する魚釣用スピニングリールにおいて、
前記摺動体の案内部の一側に前記ピラーを前後動可能に当接させる付勢力を付与する付勢部材を具備したことを特徴とする魚釣用スピニングリール。
【請求項２】
前記付勢部材は、付勢力の方向が巻取り操作時の張力負荷方向に対応されることを特徴とする請求項１記載の魚釣用スピニングリール。
【請求項３】
前記付勢部材は、前記摺動体と前記ピラーとの間に配置されることを特徴とする請求項１又は２記載の魚釣用スピニングリール。
【発明の詳細な説明】
【技術分野】
【０００１】
この発明は、操作ハンドルの回転操作に連動してスプールを前後動させて釣糸を巻回する魚釣用スピニングリールに関する。
【背景技術】
【０００２】
周知のように魚釣用スピニングリールには、操作ハンドルがリール本体に回転操作可能に配されて、この操作ハンドルの回転操作に連動して釣糸案内部を有するロータが回転されると共に、オシレーティング機構と称する往復動装置が駆動されてスプールが前後動されることで、該スプールに対して釣糸が巻回されるリール構造を採る。
【０００３】
このような魚釣用スピニングリールは、そのスプール軸の後端に往復動装置を構成する摺動体が取り付けられ、この摺動体がリール本体の前後部に架設されたピラーに摺動可能に組付けられる。これにより、摺動体は、操作ハンドルが回転運動されると、往復動装置を介して前後動され、その前後動によりスプール軸を前後動させることで、スプールを前後動させる（例えば、特許文献１、２及び３参照）。
【特許文献１】実用新案登録番号第２５５２６７６号公報
【特許文献２】特開平８−１３１０２９号公報
【特許文献３】特開２０００−１２５７１５号公報
【発明の開示】
【発明が解決しようとする課題】
【０００４】
しかしながら、上記魚釣用スピニングリールでは、いずれにおいても、往復動装置を構成する摺動体及びピラーの寸法公差や、ピラーとスプール軸との平行度や軸間距離精度により、摺動体とピラーとの間に、所謂、「ガタ」が発生し、操作ハンドルを回転操作すると、振動が生じたり、異音が発生したりする虞があるために、それぞれの寸法管理が非常に面倒であるという問題を有する。
【０００５】
この発明は上記の事情に鑑みてなされたもので、簡便にして容易な製作を実現したうえで、釣糸の快適な巻取り操作を実現し得るようにした魚釣用スピニングリールを提供することを目的とする。
【課題を解決するための手段】
【０００６】
この発明は、操作ハンドルの回転運動をスプール軸の前後動に変換する往復動装置の摺動体に対して先端部にスプールを有するスプール軸が取り付けられ、該摺動体に対してリール本体の前後部間に架設されたピラーを嵌合させて前記摺動体を前後動可能に摺動案内する魚釣用スピニングリールにおいて、前記摺動体の案内部の一側に前記ピラーを前後動可能に当接させる付勢力を付与する付勢部材を備えて構成したものである。
【０００７】
上記構成によれば、摺動体は、その一側が付勢部材を介してピラーに前後動可能に付勢力が付与された状態で当接されることにより、操作ハンドルが回転操作されると、往復動装置によりピラーに案内されて前後動され、スプールを同方向に移動させる。これにより、構成部品の寸法誤差や組付け誤差によるガタを吸収した状態で、動作制御され、快適な巻取り操作が可能となると共に、その製作の簡略化を図ることができる。
【発明の効果】
【０００８】
この発明によれば、簡便にして容易な製作を実現したうえで、釣糸の快適な巻取り操作を実現し得るようにした魚釣用スピニングリールを提供することができる。
【発明を実施するための最良の形態】
【０００９】
以下、この発明の実施の形態について、図面を参照して詳細に説明する。
【００１０】
図１は、この発明の一実施の形態に係る魚釣用スピニングリールを示すもので、リール本体１０のボディには、外壁を構成するボデイカバー１１が被着される。このリール本体１０の上部に脚部１３が延設され、この脚部１３の先端には、図示しない釣竿のリールシートに装着される釣竿装着部が設けられる。そして、このリール本体１０には、その両側部にハンドル軸１４が架設されて配され、このハンドル軸１４には、駆動歯車１５が嵌着されると共に、操作ハンドル１６が回転操作可能に連結固定される。
【００１１】
また、上記リール本体１０には、その前部に反転可能な釣糸案内部（図示しないラインローラを含む）１７１を有するロータ１７が回転自在に配され、このロータ１７は、上記リール本体１０に内装される図示しない巻取り駆動機構に連結される。この巻取り駆動機構（図示せず）は、上記操作ハンドル１６が回転操作されてハンドル軸１４が回転されると、駆動歯車１５の回転力が伝達されて駆動され、上記ロータ１７を回転駆動する。
【００１２】
また、上記リール本体１０の前部には、図示しない釣糸が巻回されるスプール１８がロータ１７に対応して往復動装置であるオシレーティング機構１９を介して前後方向（矢印Ａ、Ｂ方向）に移動自在に配される。このスプール１８は、スプール軸２０の一端部に嵌着される。このスプール軸２０には、ピニオン２１が回転自在に遊嵌され、このピニオン２１には、上記ハンドル軸１４の駆動歯車１５が回転力伝達可能に噛合される。
【００１３】
また、ピニオン２１には、オシレーティング機構１９のトラバースカム軸１９０に嵌着される歯車１９１が噛合される。そして、このトラバースカム軸１９０には、摺動体１９２が上記矢印Ａ、Ｂ方向に移動自在に組付けられる。
【００１４】
摺動体１９２は、図２乃至図３に示すように取付けビス２２を介して上記スプール軸２０に取付けられる。そして、この摺動体１９２には、駆動ピン１９３が上記トラバースカム軸１９０のカム面に対向して設けられ、この駆動ピン１９３がトラバースカム軸１９０のカム面に駆動可能に係合される。
【００１５】
摺動体１９２には、案内部である案内穴１９４が、前後方向に設けられ、この案内穴１９４には、上記リール本体１０の前後部に架設されて配されたピラー１０１が遊挿される。そして、この摺動体１９２の案内穴１９４には、付勢部材であるゴム等の弾性部材１９５が、案内穴１９４の一側に上記ピラー１０１が前後動可能に当接する所望の付勢力を付与する。この付勢力の方向は、巻取り操作時における張力負荷方向に対応される。
【００１６】
また、摺動体１９２には、前後方向にリール本体に対する摺動案内部を構成する係合部１９６が、駆動ピン１９３を挟んで上記案内穴１９４に対向して設けられる。この係合部１９６は、上記リール本体１０に前後方向に延設された案内係合部１０２に係合され、対応して設けられ、摺動体１９２の案内穴１９４が上記ピラー１０１に沿って前後動された状態で、上記案内係合部１０２に摺動案内される。
【００１７】
上記構成において、操作ハンドル１６が回転操作されてハンドル軸１４が回転されると、駆動歯車１５が回転駆動され、上記巻取り機構（図示せず）が駆動されてロータ１７が回転される。同時に、駆動歯車１５は、ピニオン２１を回転させて歯車１９１を介してトラバースカム軸１９０を回転させる。すると、トラバースカム軸１９０のカム面への駆動ピン１９３の係合作用により駆動されて摺動体１９２が矢印Ａ、Ｂ方向に前後動される。この際、摺動体１９２は、その係合部１９６がリール本体１０の案内係合部１０２に摺動案内されると共に、その案内穴１９４に遊挿されるリール本体１０のピラー１０１が、巻取り時、弾性部材１９５に付勢されて、該案内穴１９４の内周面の一側に前後動可能に所定の付勢力で当接されて位置決めされた状態で、トラバースカム軸１９０に沿って前後動される。
【００１８】
これにより、操作ハンドル１６が回転操作されると、ロータ１７が回転されると共に、スプール１８が同期して前後動され、該ロータ１７の釣糸案内部１７１（図示しないラインローラを含む）に案内された釣糸が、スプール１８の周囲に均一的に巻回される。
【００１９】
このように、上記魚釣用スピニングリールは、ピラー１０１を介して前後方向に案内される摺動体１９２の案内穴１９４の内周面の一側に、上記ピラー１０１を前後動可能に当接させる付勢力を付与する弾性部材１９５を設けて構成した。
【００２０】
これによれば、摺動体１９２が弾性部材１９５を介してピラー１０１に前後動可能に一方に付勢力が付与された状態で、該ピラー１０１に案内されて前後動されることにより、摺動体１９２の案内穴１９４の寸法誤差や、ピラー１０１の寸法誤差、トラバースカム軸１９０との組付け誤差等により、発生する機構部の「ガタ（スプール軸２０を中心とする摺動体１９２の回転方向のガタ）」を吸収した状態で、摺動体１９２の動作制御が可能となるため、構成部品の簡便にして容易な製作を実現したうえで、快適な巻取り操作を実現することが可能となる。
【００２１】
なお、弾性部材１９５の付勢方向は、張力が作用している釣糸を巻取り操作する場合には、図４で、摺動体１９２は、スプール軸２０を中心に反時計方向の回転力（矢印Ｃ方向）を受けながら前後方向に移動案内される。この場合、案内穴１９４の内周面の一側にピラー１０１の外周が直接接触した状態となるので、剛性感のある安定した移動案内ができる。
【００２２】
また、この発明は、上記実施の形態に限ることなく、その他、図５、図６及び図７あるいは図８及び図９に示すように構成することも可能で、いずれにおいても略同様の効果が期待される。但し、図５乃至図９においては、上記図１乃至図４と同一部分について、同一符号を付して、その説明を省略する。
【００２３】
先ず、図５に示す実施の形態では、上記摺動案内部として、摺動体１９２にリング状の摺動案内部１９７を上記トラバースカム軸１９０を囲むように形成し、この摺動案内部１９７と併用して、上記ピラー１０１が弾性部材１９５を介して案内穴１９４の一側に前後動可能に当接させて摺動制御するように構成したものである。
【００２４】
また、図６及び図７に示す実施の形態では、摺動体１９２に案内部である溝部１９４ａを移動方向に対応して形成して、この溝部１９４ａに上記ピラー１０１を遊挿し、この溝部１９ａ４に付勢部材として、例えばばね部材１９５ａを、巻取り時、該溝部１９４ａの一側にピラー１０１が前後動可能に当接する張力負荷方向に付勢力を付与するように構成したものである。この場合には、摺動体１９２の摺動案内部として、例えば案内穴１９６ａが、上記溝部１９４ａに対応して形成されて、この案内穴１９６ａには、例えば上記リール本体１０の前後部に架設される第２のピラー１０３が前後動可能に挿通される。
【００２５】
なお、この摺動案内部としては、その他、図１乃至図４の実施の形態と同様に構成することも可能である
また、図８及び図９に示す実施の形態では、摺動体１９２の一側にピラー１０１を前後方向に摺動可能に当接する張力負荷方向に付勢力を付与する付勢部材である弾性部材１９５ｂを、リール本体１０に配するように構成したものである。例えば、リール本体１０にピラー１０１を遊挿する支持穴１０４を形成して、この支持穴１０４に上記弾性部材１９５ｂを摺動体１９２の一側にピラー１０１を、前後方向に摺動可能に当接する張力負荷方向に付勢力を付与するように配置する。
【００２６】
つまり、摺動体１９２に案内移動可能に嵌合されたピラー１０１自体を、リール本体１０の支持穴１０４内周面の一側に弾性部材１９５ｂの付勢力により、偏位接触させて、剛性感のある移動案内を図りながら不要なガタ付きを吸収できる。
【００２７】
この場合には、摺動案内部としては、例えば摺動体１９２にリング状の摺動案内部１９７ａを上記トラバースカム軸１９０を囲むように形成される。
【００２８】
なお、この図８及び図９の実施の形態においては、付勢部材として、弾性部材１９５ｂに代えてばね部材を用いて構成することも可能である。また、摺動案内部としては、その他、図１乃至図４に示すように構成したり、あるいは図６及び図７に示すように構成してもよい。
【００２９】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３０】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３１】
【図１】この発明の一実施の形態に係る魚釣用スピニングリールの外観構成を示した図である。
【図２】図１のオシレーティング機構をリール本体の両端部方向に断面して示した図である。
【図３】図１のオシレーティング機構をリール本体の前後方向に断面して示した図である。
【図４】図２を拡大して示した図である。
【図５】この発明の他の実施の形態に係る魚釣用スピニングリールの要部をリール本体の両端部方向で断面して示した図である。
【図６】この発明の他の実施の形態に係る魚釣用スピニングリールの要部をリール本体の前後方向で断面して示した図である。
【図７】図６のリール本体を両端部方向で断面して示した図である。
【図８】この発明の他の実施の形態に係る魚釣用スピニングリールの要部をリール本体の両端部方向で断面して示した図である。
【図９】図８のリール本体を、前後方向の異なる位置で両端部方向に断面して示した図である。
【符号の説明】
【００３２】
１０…リール本体、１０１…ピラー、１０２…案内係合部、１０３…第２のピラー、１０４…支持穴、１１…ボデイカバー、１３…脚部、１４…ハンドル軸、１５…駆動歯車、１６…操作ハンドル、１７…ロータ、１７１…釣糸案内部、１８…スプール、１９…オシレーティング機構、１９０…トラバースカム軸、１９１…歯車、１９２…摺動体、１９３…駆動ピン、１９４…案内穴、１９４ａ…溝部、１９５…弾性部材、１９５ａ…ばね部材、１９５ｂ…弾性部材、１９６…係合部、１９６ａ…案内穴、１９７，１９７ａ…摺動案内部、２０…スプール軸、２１…ピニオン、２２…取付けビス。
【図１】
2005245252.tif 000003
【図２】
2005245252.tif 000004
【図３】
2005245252.tif 000005
【図４】
2005245252.tif 000006
【図５】
2005245252.tif 000007
【図６】
2005245252.tif 000008
【図７】
2005245252.tif 000009
【図８】
2005245252.tif 000010
【図９】
2005245252.tif 000011